(57)【要約】【課題】  誤って落下させてしまったりしたとしてもテープカセットを保護することができるテープカセット収納ケースを提供すること。【解決手段】  テープカセット８０を収納する収納部１１と、収納部１１を囲む蓋部１２と、収納部１１及び蓋部１２を開閉可能にヒンジ連結された連結板１３と、蓋部１２の外面に形成された係合部と、収納部１１の一部にヒンジ連結され、回動に伴い係合部に係止されるサイドロック部１４とを備え、少なくとも収納部１１の内面又は蓋部１２の内面に緩衝部材３５を設けた。【選択図】  図１
2006001636.tif 000002
【特許請求の範囲】
【請求項１】
テープカセットを収納する周壁を有する収納部と、前記収納部を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、
少なくとも前記収納部の内面又は前記蓋部の内面に緩衝部材を設けたことを特徴とするテープカセット収納ケース。
【請求項２】
前記緩衝部材が、前記収納部の周壁に配設されていることを特徴とする請求項１記載のテープカセット収納ケース。
【請求項３】
前記緩衝部材が、前記収納部と前記蓋部の底面にそれぞれ配設されていることを特徴とする請求項１又は請求項２記載のテープカセット収納ケース。
【請求項４】
前記緩衝部材が、ケース内に収納される前記テープカセットの角部に対面する位置に配設されていることを特徴とする請求項１〜請求項３のいずれか１項記載のテープカセット収納ケース。
【発明の詳細な説明】
【技術分野】
【０００１】
本発明は、本発明はテープカセット収納ケースに関し、特に、内部に収納したテープカセットを落下等の衝撃から確実に保護する技術に関する。
【背景技術】
【０００２】
テープカセットの保管時に用いられるハードケースには、使用者が誤ってケースを落下させても、内部に収納されているテープカセットを保護する耐衝撃性が要求される。耐衝撃性の向上には、衝撃エネルギーの吸収もしくは衝撃エネルギーに耐えられるテープカセット及びケースを用いることが必要である。しかし、テープカセット構造の強度向上には設計上の制約があるため、テープカセットの構造を変えることなく、ケース自体が衝撃エネルギーを吸収してカセットを保護するのが望ましい。
従来のテープカセット収納ケースとしては、収納部と、蓋部と、ヒンジ連接部と、サイドロック部からなるテープカセット収納ケースが知られている（例えば、特許文献１参照）。
【０００３】
図１６及び図１７に示すように、特許文献１に開示されたテープカセット収納ケース１００は、ハードタイプのケースであって、四つの側壁１０２を有する収納部１０１と、三つの側壁１０４を有する蓋部１０３と、収納部１０１の底面板及び蓋部１０３の天面板１０５とを接続し、蓋部１０３を閉じた状態で蓋部１０３の一側壁になるヒンジ連接部１０６からなる。
【０００４】
テープカセット収納ケース１００には、収納部１０１においてヒンジ連接部１０６とは反対の正面側に、サイドロック部１０７がヒンジ連結されている。サイドロック部１０７は、収納部１０１の側壁１０２の外側に蓋部１０３の側壁１０４が重ね合わされて閉じられた際に、蓋部１０３の側壁１０４の外表面に形成された係合部１０８に係止されてロックされる。
【特許文献１】特開２００２−１７９１７６号公報
【発明の開示】
【発明が解決しようとする課題】
【０００５】
ところが、上記特許文献１では、使用者が誤ってケースを落下させたり、搬送中に壁等に衝突させてしまったりした場合に、その際の衝撃エネルギーがテープカセットに直接伝わってテープカセットを損傷させる虞がある。
【０００６】
本発明は、このような事情に鑑みてなされたものであり、その目的は、誤って落下させる等のケースに衝撃が加わった場合でも、テープカセットを確実に保護することができるテープカセット収納ケースを提供することにある。
【課題を解決するための手段】
【０００７】
上記目的は下記構成のテープカセット収納ケースにより達成される。
（１）テープカセットを収納する周壁を有する収納部と、前記収納部を囲む外壁を有する蓋部と、前記収納部及び前記蓋部を開閉可能にヒンジ連結された連結板と、前記蓋部の外面に形成された係合部と、前記収納部の一部にヒンジ連結され、回動に伴い前記係合部に係止されるサイドロック部とを備えたテープカセット収納ケースであって、少なくとも前記収納部の内面又は前記蓋部の内面に緩衝部材を設けたことを特徴とするテープカセット収納ケース。
【０００８】
このテープカセット収納ケースでは、収納部に収納されたテープカセットは、少なくとも収納部の内面又は蓋部の内面に配置された緩衝部材によって支持される。従って、使用者が誤って落下させてしまったとしても、緩衝部材がその際の衝撃エネルギーを吸収してテープカセットに直接与えられないので、テープカセットを保護することができる。
【０００９】
（２）前記緩衝部材が、前記収納部の周壁に配設されていることを特徴とする（１）記載のテープカセット収納ケース。
【００１０】
このテープカセット収納ケースでは、収納部の周壁に緩衝部材が配設されることで、ケース底面に対して略平行方向の衝撃を吸収することができる。
【００１１】
（３）前記緩衝部材が、前記収納部と前記蓋部の底面にそれぞれ配設されていることを特徴とする（１）又は（２）記載のテープカセット収納ケース。
【００１２】
このテープカセット収納ケースでは、収納部の周壁に緩衝部材が配設されることで、ケース底面に対して略垂直方向の衝撃を吸収することができる。
【００１３】
（４）前記緩衝部材が、ケース内に収納される前記テープカセットの角部に対面する位置に配設されていることを特徴とする（１）〜（３）のいずれか１項記載のテープカセット収納ケース。
【００１４】
このテープカセット収納ケースでは、テープカセットの角部に対面する位置に緩衝部材が配設されることで、必要最小限の緩衝部材で衝撃吸収効果を得ることができる。
【発明の効果】
【００１５】
本発明のテープカセット収納ケースによれば、テープカセット収納ケースに衝撃が加わっても、緩衝部材が衝撃エネルギーを吸収して、収納されたテープカセットに衝撃エネルギーを直接作用させずにテープカセットを保護することができる。これにより、使用者が誤ってケースを落下させたり、搬送中に壁等に衝突させてしまったりした場合にも、テープカセットを確実に保護することができる。
【発明を実施するための最良の形態】
【００１６】
以下、本発明に係るテープカセット収納ケースの好適な実施の形態について、図面を参照して詳細に説明する。
（第１実施形態）
図１は本発明に係るテープカセット収納ケースの第１実施形態を示す開蓋状態の外観斜視図である。また、図２は図１に示すテープカセット収納ケースの平面図で、図３は図１に示すテープカセット収納ケースにおける収納部の角部分の拡大図で、図４は図１に示すテープカセット収納ケースの閉状態の断面図である。
【００１７】
図１に示すように、本発明の第１実施形態であるテープカセット収納ケース１０は、収納部１１と、蓋部１２と、収納部１１及び蓋部１２にヒンジ連結された連結板１３と、収納部１１にヒンジ連結されたサイドロック部１４とが一体成形により構成されている。テープカセット収納ケース１０は、例えばポリプロピレン（ＰＰ）等の高分子樹脂を素材としている。
【００１８】
収納部１１には、底板１５の外縁部に、周囲の四方を囲んで配された周壁１６，１７，１８，１９が底板１５上に直立して形成されている。周壁１６は収納部１１の前面側に配され、周壁１７は収納部１１の背面側に配され、周壁１８，１９は収納部１１の左・右面側に配されている。周壁１６，１７，１８，１９の中央部には、高さが低くなるように切除された切欠２０，２１，２２，２３がそれぞれ形成されている。
【００１９】
収納部１１には、底板１５の中央部に、一対のリール係止リブ２４，２４が形成されている。リール係止リブ２４，２４は、筒方向にスリットを有する円筒形状に形成されており、テープカセット８０に有する巻取ハブ（不図示）を挿入することにより、テープカセット８０を周壁１６，１７，１８，１９の内側に位置決めする。
【００２０】
収納部１１には、周壁１６の前面の側部に、一対の第１係合部２５，２５が形成されている。第１係合部２５，２５には、蓋部１２が閉じられる際に、蓋部１２に有する外壁２６，２７，２８のうちの連結板１３とは反対側の外壁２６の内側に形成された一対の係合突部２９，２９が係止される。
【００２１】
収納部１１には、前面の周壁１６と、側面の周壁１８，１９とが形成する角部３０，３１を含み、これら周壁１６，１８，１９の外側に板形状に延出されたバンパー部３２が形成されている。
【００２２】
そして、収納部１１には、周壁１６，１７，１８，１９が形成する４つの角部３０，３１，３３，３４の内側であって、周壁１６，１７，１８，１９の内面に、４つの緩衝部材３５がそれぞれ取り付けられている。緩衝部材３５は、例えば、ウレタン樹脂、ゴム、スポンジ等を主な素材として、予め定められた厚さを有して形成されており、底板１５上に直立した状態で配置されている。この緩衝部材３５は、テープ状のクッション材の片面が粘着面とされた接着テープ型とすることで、張り付け作業を簡単にできる。緩衝部材３５は、収納部１１にテープカセット８０が挿入されることにより、その内面がテープカセット８０の側面に介装されるために、テープカセット８０が周壁１６，１７，１８，１９に直接接触せずにテープカセット８０を支持する。なお、緩衝部材３５は、上記のものに限定されず、例えば、板ばねやねじりコイルばねを用いても良い。
【００２３】
蓋部１２には、天板３６の外縁部に周囲の３方を囲んで配された外壁２６，２７，２８が天板３６に直立して形成されている。外壁２６は、蓋部１２が収納部１１に閉じられた際に収納部１１の前面に対応して配され、外壁２７，２８は、同様にして収納部１１の左面側及び右面側に対応して配されている。
【００２４】
蓋部１２には、外壁２６の外面の中央部に第２係合部（図２参照）３７が形成されており、外壁２６，２７，２８の外側に板形状に延出されたバンパー部３８が形成されている。
【００２５】
連結板１３は、収納部１１と蓋部１２との端部の間に、湾曲された板形状に形成されており、長さ方向の両端部に配置されたヒンジ部３９，４０によってヒンジ連結されている。一方のヒンジ部３９は、収納部１１の底板１５の端部に繋がれており、他方のヒンジ部４０は、蓋部１２の天板３６の端部に繋がれている。
【００２６】
サイドロック部１４は、台形形状の板状に形成されており、収納部１１の前面の周壁１６における中央部の下端部から、ヒンジ部４１を介してヒンジ連結されている。サイドロック部１４の上面には、第２係止部４２が形成されている。サイドロック部１４は、蓋部１２が収納部１１に対して閉じられることにより、第１係合部２５，２５に係合突部２９，２９がそれぞれ係止された仮ロックの後に、ヒンジ部４１を介して図１中の上方に向けて回動されることにより、第２係止部４２が、蓋部１２の第２係合部３７に係止ロックされて、所謂、ダブルロック機能をなす。
【００２７】
図２に示すように、蓋部１２には、外壁２６の外面に第２係合部３７が形成されている。緩衝部材３５は、予め定められた厚さを有するために、テープカセット８０を周壁１６，１７，１８，１９の内側から離れた位置に支持する。
【００２８】
図３に示すように、緩衝部材３５は、Ｌ字状に設けられ、予め定められた厚さｔ１を有する。厚さｔ１はテープカセットの筐体が収納部１１内に隙間を有して収納される厚みとすることで、テープカセットの挿入操作性が良くなり、また、テープカセットの筐体が緩衝部材３５を押圧しつつ収納される厚みにすると、テープカセットの保持が確実となる。
【００２９】
図４に示すように、蓋部１２が収納部１１に対して閉じられて、第１係合部２５，２５に係合突部２９，２９がそれぞれ係止された仮ロックの後に、サイドロック部１４の第２係止部４２が蓋部１２の第２係合部３７に係止ロックされたロック状態において、緩衝部材３５は、その内面がテープカセット８０の側面に当接することにより、テープカセット８０を、周壁１６，１７，１８，１９に直接接触しないように離して支持する。そのために、収納部１１に収納されたテープカセット８０が、緩衝部材３５によって支持されるので、このロック状態で、使用者が誤って落下させてしまったとしても、緩衝部材３５がその際の衝撃エネルギーを吸収してテープカセット８０に直接与えずに、テープカセット８０を保護することができる。このように、緩衝部材３５は、ケース底面に対して略平行方向、即ち、収納部１１の底板１５及び蓋部１２の天板３６の板面方向に沿ってかかる衝撃エネルギーを特に吸収することができる。
【００３０】
ここで、本テープカセット収納ケース１０のバンパー部について説明する。
図５は図２のＡ−Ａ線断面図で、図６は図２のＢ−Ｂ線断面図である。
図５に示すように、収納部１１のバンパー部３２では、周壁１９に沿って蓋部１２の外壁２８の厚さに相当する空間４３を空けて、凸条４４が周壁１９と平行に設けられている。蓋部１２が閉じられた際には、蓋部１２の外壁２８の先端が空間４３に嵌挿されて蓋部１２とバンパー部３２とが密着して接合されるようになっている。また、凸条４４の外側に延出して、底板１５の肉厚よりも薄い薄肉部４５が所定幅で設けられており、薄肉部４５の先端部は閉蓋時に対向する蓋部１２のバンパー部３８に向けて屈曲されている。収納部１１には、バンパー部３２が、３辺の周壁１６，１８，１９の外側に、上述した構成と同様にしてそれぞれ形成されている。
【００３１】
図６に示すように、蓋部１２の外壁２８は、蓋部１２が閉じられた際に、収納部１１の周壁１９の外側を覆い、先端が収納部１１の凸条４４と周壁１９との間の空間４３に収まるようになっている。蓋部１２のバンパー部３８では、外壁２８の外側に延出して、天板３６の肉厚よりも薄い薄肉部４６が所定幅で設けられており、薄肉部４６の先端部は、閉蓋時に対向する収納部１１のバンパー部３２に向けて屈曲されている。蓋部１２には、バンパー部３８が、３辺の外壁２６，２７，２８の外側に、上述した構成と同様にしてそれぞれ形成されている。
【００３２】
以上、説明した第１実施形態のテープカセット収納ケース１０によれば、収納部１１に収納されたテープカセット８０が、周壁１６，１７，１８，１９の内面であって、４つの角部３０，３１，３３，３４の内側に取り付けられた緩衝部材３５によって支持される。それにより、使用者が誤って落下させてしまったとしても、緩衝部材３５がその際の衝撃エネルギーを吸収してテープカセット８０に直接与えられないので、テープカセット８０を保護することができる。また、バンパー部３２，３８による緩衝作用との相乗効果により、テープカセット８０を一層確実に保護することができる。
【００３３】
（第２実施形態）
次に、図７〜図９を参照して、本発明に係るテープカセット収納ケースの第２実施形態について説明する。なお、第２実施形態において第１実施形態と同一又は同等部分については、同一の符号を付し、説明を省略或いは簡略化する。
図７は本発明に係るテープカセット収納ケースの第２実施形態を示す開状態の斜め側方から見た外観斜視図である。また、図８は図７に示すテープカセット収納ケースにおける収納部の角部分の拡大図で、図９は図７に示すテープカセット収納ケースの閉状態の断面図である。
【００３４】
図７に示すように、本発明の第２実施形態であるテープカセット収納ケース５０は、収納部１１の周壁１６，１７，１８，１９が形成する４つの角部３０，３１，３３，３４の内側であって、底板１５上に、４つの緩衝部材５１が取り付けられているとともに、蓋部１２の外壁２６，２７，２８が形成する２つの角部５２，５３の内側及び側部に配置された外壁２７，２８における外壁２６とは反対側の端部の内側であって、天板３６に、４つの緩衝部材５４が取り付けられている。
【００３５】
緩衝部材５１，５４は、第１実施形態における材料と同様であり、板ばねや、コイルばねを用いても良い。
収納部１１側の緩衝部材５１は、その上面がテープカセット８０の底面に当接し、蓋部１２側の緩衝部材５４は、その下面がテープカセット８０の上面に当接するために、テープカセット８０が底板１５及び天板３６に直接接触しないようにしてテープカセット８０を支持する。
【００３６】
図８に示すように、収納部１１側の緩衝部材５１は、一例として四角形の板形状に形成されており、予め定められた厚さｔ２を有する。
【００３７】
また、収納部１１側と同様に、蓋部１２側の緩衝部材５４も、一例として四角形の板形状に形成されており、予め定められた厚さｔ２を有する。緩衝部材５４は、蓋部１２の天板３６において、収納部１１の周壁１６，１８，１９の厚さ分だけ、外壁２６，２７，２８から離れて配置されている。
【００３８】
図９に示すように、蓋部１２が収納部１１に対して閉じられて、第１係合部２５，２５に係合突部２９，２９がそれぞれ係止された仮ロックの後に、サイドロック部１４の第２係止部４２が蓋部１２の第２係合部３７に係止ロックされたロック状態において、緩衝部材５１，５４は、その内面がテープカセット８０の上・下面に当接することにより、テープカセット８０を、底板１５及び天板３６に直接接触しないように離して支持する。そのために、収納部１１に収納されたテープカセット８０が、緩衝部材５１，５４によって支持されるので、このロック状態で、使用者が誤って落下させてしまったとしても、緩衝部材５１，５４がその際の衝撃エネルギーを吸収してテープカセット８０に直接与えずに、テープカセット８０を保護することができる。このように、緩衝部材５１，５４は、ケース底面に対して略垂直方向、即ち、収納部１１の周壁１６，１７，１８，１９及び蓋部１２の外壁２６，２７，２８の板面方向に沿ってかかる衝撃エネルギーを特に吸収することができる。
【００３９】
以上、説明した第２実施形態のテープカセット収納ケース５０によれば、収納部１１に収納されたテープカセット８０が、収納部１１の底板１５上に取り付けられた４つの緩衝部材５１と、蓋部１２の天板３６に取り付けられた４つの緩衝部材５４とによって支持される。それにより、使用者が誤って落下させてしまったとしても、緩衝部材５１，５４がその際の衝撃エネルギーを吸収してテープカセット８０に直接与えられないので、テープカセット８０を保護することができる。
【００４０】
（第３実施形態）
次に、図１０及び図１１を参照して、本発明に係るテープカセット収納ケースの第３実施形態について説明する。
図１０は本発明に係るテープカセット収納ケースの第３実施形態の収納部の角部分の拡大図、図１１は図１０に示すテープカセット収納ケースの閉蓋状態の断面図である。
【００４１】
図１０に示すように、本発明の第３実施形態であるテープカセット収納ケース７０は、周壁１６，１７，１８，１９が形成する４つの角部３０，３１，３３，３４の内側であって、周壁１６，１７，１８，１９の内面に、４つの緩衝部材７１がそれぞれ取り付けられているとともに、蓋部１２の外壁２６，２７，２８が形成する２つの角部５２，５３の内側及び側部に配置された外壁２７，２８における外壁２６とは反対側の端部の内側であって、天板３６に、４つの緩衝部材５４（第２実施形態と同様）が取り付けられている。
【００４２】
緩衝部材７１は、図３と同様に形成されたＬ字状の第１板部７３と、図８と同様に形成された第２板部７４とが、共に形成されている。緩衝部材７１は、第１板部７３の内面がテープカセット８０の側面に当接し、第２板部７４の内面がテープカセット８０の底面に当接する。また、緩衝部材５４は、テープカセット８０の上面に当接する。これにより、緩衝部材７１，５４は、テープカセット８０が底板１５，周壁１６，１７，１８，１９，天板３６に直接接触しないようにしてテープカセット８０を支持する。なお、緩衝部材７１は、第１板部７３と第２板部７４とが一体成形されても良い。
【００４３】
図１１に示すように、蓋部１２が収納部１１に対して閉じられて、第１係合部２５，２５に係合突部２９，２９がそれぞれ係止された仮ロックの後に、サイドロック部１４の第２係止部４２が蓋部１２の第２係合部３７に係止ロックされたロック状態において、緩衝部材７１，５４は、それらの内面がテープカセット８０の上・下・側面に当接することにより、テープカセット８０を、底板１５，周壁１６，１７，１８，１９，天板３６に直接接触しないように離して支持する。そのために、収納部１１に収納されたテープカセット８０が、緩衝部材７１，５４によって支持されるので、このロック状態で、使用者が誤って落下させてしまったとしても、緩衝部材７１，５４がその際の衝撃エネルギーを吸収してテープカセット８０に直接与えずに、テープカセット８０を保護することができる。このように、緩衝部材７１，５４は、収納部１１の底板１５及び蓋部１２の天板３６の板面方向に沿ってかかる衝撃エネルギーと、収納部１１の周壁１６，１７，１８，１９及び蓋部１２の外壁２６，２７，２８の板面方向に沿ってかかる衝撃エネルギーとを共に吸収することができる。
【００４４】
以上、説明した第３実施形態のテープカセット収納ケース７０によれば、収納部１１に収納されたテープカセット８０が、収納部１１の底板１５上に取り付けられた、第１，第２板部７３，７４を有する４つの緩衝部材７１と、蓋部１２の天板３６に取り付けられた４つの緩衝部材５４とによって支持される。それにより、使用者が誤って落下させてしまったとしても、緩衝部材７１，５４がその際の衝撃エネルギーを吸収してテープカセット８０に直接与えられないので、テープカセット８０を確実に保護することができる。
【００４５】
次に、図１２〜図１５を参照して、収納部１１のバンパー部３２と、蓋部１２のバンパー部３８についてさらに詳細に説明する。
図１２（ａ）は本発明に係るテープカセット収納ケースの収納部におけるバンパー部を説明する外観斜視図で、図１２（ｂ）は図１２（ａ）のＣ−Ｃ線断面図で、図１３（ａ）は本発明に係るテープカセット収納ケースの蓋部におけるバンパー部を説明する外観斜視図で、図１３（ｂ）は図１３（ａ）のＤ−Ｄ線断面図で、図１４は本発明に係るテープカセット収納ケースの緩衝部を説明する外観斜視図で、図１５は図１４の縦断面図である。
【００４６】
図１２（ａ），（ｂ）に示すように、収納部１１のバンパー部３２には、角部３０，３１付近で、薄肉部４５の肉厚を他の薄肉部４５の部分の肉厚よりも厚くした厚肉部８１が設けられている。厚肉部８１は、その両側がテーパ面８２を介して薄肉部４５に連設されている。厚肉部８１を除いた他の薄肉部４５については、前述した構造となっており、その肉厚は、更に増加したときに向上する衝撃吸収性の観点だけでなく、成形性を観点も含めて、例えば０．８ｍｍとされることが合理的である。厚肉部８１は、テープカセット収納ケース１０が、収納部１１の角部３０，３１から落下する場合に衝撃エネルギーが大きくなるが、その際の衝撃を受けるので、バンパー部３２の破損や大きな押し潰れ等を防止しつつ衝撃を吸収して、収納されているテープカセット８０を保護することができる。
【００４７】
図１３（ａ），（ｂ）に示すように、蓋部１２のバンパー部３８には、角部５２，５３付近で、薄肉部４６の肉厚を他の薄肉部４６の部分の肉厚よりも厚くした厚肉部８３が設けられている。厚肉部８３は、その両側がテーパ面８４を介して薄肉部４６に連設されている。厚肉部８３を除いた他の薄肉部４６については、前述した構造となっており、その肉厚は、更に増加したときに向上する衝撃吸収性の観点だけでなく、成形性を観点も含めて、例えば０．８ｍｍとされることが合理的である。厚肉部８３は、テープカセット収納ケース１０が、蓋部１２の角部５２，５３から落下する場合に衝撃エネルギーが大きくなるが、その際の衝撃を受けるので、バンパー部３８の破損や大きな押し潰れ等を防止しつつ衝撃を吸収して、収納されているテープカセット８０を保護することができる。
【００４８】
このようにすることにより、収納部１１及び蓋部１２の外周から外側へ突出して延設されているバンパー部３２，３８が衝撃エネルギーを吸収して、ケース１０に収納されているテープカセット８０を保護する。一方、テープカセット収納ケース１０が角部３０，３１，５２，５３から落下する場合には衝撃エネルギーが大きくなるが、バンパー部３２，３８の角部に設けられ他のバンパー部３２，３８の厚みより大きい肉厚にされた厚肉部８１，８３が衝撃を受けるので、バンパー部３２，３８の破損や大きな押し潰れ等を防止しつつ衝撃を吸収して、収納されているテープカセット８０を保護することができる。
【００４９】
次に、図１４，図１５を参照して、蓋部１２のバンパー部３８の変形例について説明する。
【００５０】
図１４に示すように、この場合は、蓋部１２の角部５２，５３に、片もち梁状に延出した緩衝部８５を設けている。緩衝部８５は、外壁２６，２７，２８の両角部５２，５３において２分割されており、正面側の外壁２６及び両脇側の外壁２７，２８に各々設けられている。緩衝部８５は、正面側の外壁２６及び両脇側の外壁２７，２８の最外面に植設された支持部８６と、支持部８６から外壁２６及び外壁２７，２８に略平行に突出された緩衝片８７と、を有している。なお、緩衝部８５は、支持部８６から角部５２，５３側へ向けて張り出して形成され、片持ち梁状態で中空支持されることで、クッション性が高められている。
【００５１】
図１５に示すように、緩衝部８５は、収納部１１のバンパー部３２及び蓋部１２のバンパー部３８の外周縁よりも内側にある。即ち、収納部１１のバンパー部３２及び蓋部１２のバンパー部３８の突出量をＨ１とし、緩衝部８５の突出量をＨ２とすると、Ｈ１＞Ｈ２となっている。従って、緩衝部８５が作用するのは、収納部１１のバンパー部３２及び蓋部１２のバンパー部３８が、より内側に変形した後である。
【００５２】
このようにすることにより、バンパー部３２，３８が衝撃を受けた場合に、片もち梁状に延出する緩衝部８５が、その衝撃エネルギーを緩衝するので、内部に収納されているテープカセット８０を保護することができる。
【００５３】
なお、本発明のテープカセット収納ケース１０は、前述した実施形態に限定されるものではなく、適宜、変形、改良等が可能である。
例えば、緩衝部材の配置については、第１実施形態に示した緩衝部材を蓋部の同等位置に配置しても良く、第３実施形態において収納部に取り付けた緩衝部材を蓋部の同等位置に取り付けても良い。このように、緩衝部は、収納部及び蓋部の少なくとも一方に取り付けられれば良い。
【００５４】
また、緩衝部材は、図示したものに限定されず、例えば、収納部の底板の全面や、蓋部の天板の全面に取り付けても、上記と同様の作用効果を得ることができる。
【図面の簡単な説明】
【００５５】
【図１】本発明に係るテープカセット収納ケースの第１実施形態を示す開蓋状態の外観斜視図である。
【図２】図１に示したテープカセット収納ケースの平面図である。
【図３】図１に示したテープカセット収納ケースにおける収納部の角部分の拡大図である。
【図４】図１に示したテープカセット収納ケースの閉状態の断面図である。
【図５】図２のＡ−Ａ線断面図である。
【図６】図２のＢ−Ｂ線断面図である。
【図７】本発明に係るテープカセット収納ケースの第２実施形態を示す開蓋状態の外観斜視図である。
【図８】図７に示したテープカセット収納ケースにおける収納部の角部分の拡大図である。
【図９】図７に示したテープカセット収納ケースの閉蓋状態の断面図である。
【図１０】本発明に係るテープカセット収納ケースの第３実施形態を収納部の角部分の拡大図である。
【図１１】図１０に示したテープカセット収納ケースの閉状態の断面図である。
【図１２】（ａ）は本発明に係るテープカセット収納ケースの収納部におけるバンパー部を説明する外観斜視図、（ｂ）は（ａ）のＣ−Ｃ線断面図である。
【図１３】（ａ）は本発明に係るテープカセット収納ケースの蓋部におけるバンパー部を説明する外観斜視図、（ｂ）は（ａ）のＤ−Ｄ線断面図である。
【図１４】本発明に係るテープカセット収納ケースの緩衝部を説明する外観斜視図である。
【図１５】図１４の縦断面図である。
【図１６】従来のテープカセット収納ケースの閉状態を示す外観斜視図である。
【図１７】図１６のテープカセット収納ケースにおけるサイドロック部分の縦断面図である。
【符号の説明】
【００５６】
１０，５０，７０  テープカセット収納ケース
１１  収納部
１２  蓋部
１３  連結板
１４  サイドロック部
３２，３８  バンパー部
３５，５１，５４，７１，７２  緩衝部材
３７  第２係合部（係合部）
８０  テープカセット
８１，８３  厚肉部
８５  緩衝部
【図１】
2006001636.tif 000003
【図２】
2006001636.tif 000004
【図３】
2006001636.tif 000005
【図４】
2006001636.tif 000006
【図５】
2006001636.tif 000007
【図６】
2006001636.tif 000008
【図７】
2006001636.tif 000009
【図８】
2006001636.tif 000010
【図９】
2006001636.tif 000011
【図１０】
2006001636.tif 000012
【図１１】
2006001636.tif 000013
【図１２】
2006001636.tif 000014
【図１３】
2006001636.tif 000015
【図１４】
2006001636.tif 000016
【図１５】
2006001636.tif 000017
【図１６】
2006001636.tif 000018
【図１７】
2006001636.tif 000019